(57)【要約】      （修正有）【課題】電力・通信ケーブルを地中化するための地下空間部に浸入した水を簡易なシステムで自動的に排水できるようにする。【解決手段】地下空間部に溜まった水に浮くように配置され、磁石を有するフロート部材の高さが所定高さを超えた場合に、磁石の磁力を検出する水位検出センサからの信号により排水ポンプを非運転状態から運転状態とする。フロート部材に対する磁石の位置を上下方向に調整可能に構成し、現場ごとに排水の開始タイミングを設定することを可能にする。【選択図】図１
2020033874.tif 000002
【特許請求の範囲】
【請求項１】
電力ケーブル及び通信ケーブルの少なくとも一方が配設される地下空間部に溜まった水を排水する排水システムにおいて、
前記地下空間部に溜まった水を排水する排水ポンプと、
前記地下空間部に溜まった水に浮くように配置され、磁石を有するフロート部材と、前記フロート部材の高さが所定高さを超えたか否かを前記磁石の磁力によって検出するフロート位置検出部とを有する水位検出センサと、
前記フロート位置検出部により検出された前記フロート部材の高さが前記所定高さを超えた場合に前記排水ポンプを非運転状態から運転状態とするように構成された制御手段とを備え、
前記水位検出センサは、前記フロート部材に対する前記磁石の位置を上下方向に調整可能に構成されていることを特徴とする排水システム。
【請求項２】
請求項１に記載の排水システムにおいて、
前記排水ポンプと、前記水位検出センサとを収容する筐体を備え、
前記筐体には、水が流通可能な開口部が設けられていることを特徴とする排水システム。
【請求項３】
請求項１または２に記載の排水システムにおいて、
太陽光を受光して発電する太陽光パネルと、
前記太陽光パネルから出力される電力を蓄える蓄電池とを備え、
前記蓄電池は、前記排水ポンプに電力供給可能に構成されていることを特徴とする排水システム。
【請求項４】
請求項１から３のいずれか１つに記載の排水システムにおいて、
前記排水ポンプの運転時間に関する情報を記憶する記憶部を備えていることを特徴とする排水システム。
【請求項５】
請求項１から４のいずれか１つに記載の排水システムにおいて、
前記地下空間部は、ハンドホールまたはマンホールであり、
前記排水ポンプの吐出管部に連通する排水管が前記ハンドホールまたは前記マンホールの蓋よりも下方から外部へ配設されることを特徴とする排水システム。
【請求項６】
請求項１から５のいずれか１つに記載の排水システムにおいて、
前記フロート部材には、前記磁石が収容される磁石収容孔が上下方向に長く形成されるとともに下方に開放するように形成され、
前記磁石収容孔には、前記磁石の下方に当該磁石を下方から支持するネジ部材がねじ込まれていることを特徴とする排水システム。
【発明の詳細な説明】
【技術分野】
【０００１】
本発明は、例えばハンドホールやマンホール内の水を排水するための排水システムに関する。
【背景技術】
【０００２】
従来より、地下に管路を設けて電力ケーブルや通信ケーブルを地中に埋設することが行われている。管路の途中には、所定の間隔でハンドホールやマンホールを設けておき、電力・通信ケーブルの接続、切替、保守点検等を行うことができるようになっている。電力・通信ケーブルを地中に埋設するための施設内には雨水や地下水が浸入することがあり、施設内に水が浸入して所定の水位以上になると電力・通信ケーブルが常時に水中にさらされることになる。
【０００３】
また、電力・通信ケーブルを配設するためのマンホールとは別に、生活排水や雨水等の汚水が流入するマンホールもある。特許文献１には、生活排水や雨水等の汚水が流入するマンホール内の水を排水するマンホール用排水ポンプが開示されている。
【先行技術文献】
【特許文献】
【０００４】
【特許文献１】特開２０１３−１９９８３９号公報
【発明の概要】
【発明が解決しようとする課題】
【０００５】
ところで、電力・通信ケーブルを地中化するためのハンドホールやマンホールに水が溜まると、その水が時間の経過とともに電力・通信ケーブル内に浸入するおそれがある。万が一、水が電力・通信ケーブル内に浸入すると、絶縁、伝導通信品質の劣化を招き、送受電・通信障害に至ることがあるので、ハンドホールやマンホール内の水は速やかに排水したいという要求がある。
【０００６】
しかしながら、従来は、電力・通信ケーブルを地中化するためのハンドホールやマンホールの水を速やかに排水するための装置やシステムは無かった。例えば、電力・通信ケーブルを地中化するためのハンドホールやマンホールは、汚水が流入するマンホールに比べて小さかったり、また、電力・通信ケーブルを地中化するためのハンドホールやマンホールに流入する水は、生活排水等と異なり、少量ずつであり、特許文献１に開示されているような汚水が流入するマンホール用排水ポンプを用いようとしても、設計の前提条件が大きく異なるために適用が困難であった。
【０００７】
また、ハンドホールやマンホールの大きさは現場によって異なっており、様々なハンドホールやマンホールに適した設計にするのは困難であった。
【０００８】
本発明は、かかる点に鑑みてなされたものであり、その目的とするところは、電力・通信ケーブルを地中化するための地下空間部に浸入した水を簡易なシステムで自動的に排水できるようにすることにある。
【課題を解決するための手段】
【０００９】
上記目的を達成するために、本発明では、地下空間部に溜まった水に浮くフロート部材に磁石を設け、その磁石の位置によってフロート部材の高さを検出して水位を推定できるようにし、その磁石の位置を上下方向に調整できるようにした。
【００１０】
第１の発明は、電力ケーブル及び通信ケーブルの少なくとも一方が配設される地下空間部に溜まった水を排水する排水システムにおいて、前記地下空間部に溜まった水を排水する排水ポンプと、前記地下空間部に溜まった水に浮くように配置され、磁石を有するフロート部材と、前記フロート部材の高さが所定高さを超えたか否かを前記磁石の磁力によって検出するフロート位置検出部とを有する水位検出センサと、前記フロート位置検出部により検出された前記フロート部材の高さが前記所定高さを超えた場合に前記排水ポンプを非運転状態から運転状態とするように構成された制御手段とを備え、前記水位検出センサは、前記フロート部材に対する前記磁石の位置を上下方向に調整可能に構成されていることを特徴とする。
【００１１】
この構成によれば、地下空間部に溜まった水の水位が上昇すると、その水位の上昇に伴ってフロート部材が上昇するとともに磁石が上昇する。フロート部材の高さが所定高さを超えると、そのことが磁石の磁力によって検出されて排水ポンプが運転状態になるので、地下空間部に溜まった水が排水される。
【００１２】
磁石の位置を下から上方向に移動させると、水位が低くても排水ポンプが運転を開始することになり、一方、磁石の位置を上から下方向に移動させると、水位が高くならないと排水ポンプが運転を開始しなくなる。従って、例えば、地下空間部の容積や、各ケーブルの高さに応じて磁石の高さを変更するという簡単な作業で、現場ごとに排水の開始タイミングを設定することが可能になる。
【００１３】
第２の発明は、前記排水ポンプと、前記水位検出センサとを収容する筐体を備え、前記筐体には、水が流通可能な開口部が設けられていることを特徴とする。
【００１４】
この構成によれば、排水ポンプと水位検出センサとが共通の筐体に収容されてユニット化されるので、コンパクトにまとまり、地下空間部への設置が容易に行える。そして、地下空間部の水は、筐体の開口部を介して筐体内に入るので、水位検出センサによる水位の検出と、排水ポンプによる排水とが可能になる。
【００１５】
第３の発明は、太陽光を受光して発電する太陽光パネルと、前記太陽光パネルから出力される電力を蓄える蓄電池とを備え、前記蓄電池は、前記排水ポンプに電力供給可能に構成されていることを特徴とする。
【００１６】
この構成によれば、太陽光パネルからの電力が蓄電池に蓄えられ、蓄電池に蓄えられた電力が排水ポンプに供給されるので、商用電源が無くても地下空間部に溜まった水を排水することが可能になる。また、晴れた日中に電力を蓄えておくことで、曇りや夜間に蓄電池の電力を排水ポンプに供給して地下空間部に溜まった水を排水することが可能になる。
【００１７】
第４の発明は、前記排水ポンプの運転時間に関する情報を記憶する記憶部を備えていることを特徴とする。
【００１８】
この構成によれば、排水ポンプの運転時間と、予め設定されている排水ポンプの単位時間当たりの排水量とに基づいて、地下空間部からの排水量を算出することが可能になる。
【００１９】
第５の発明は、前記地下空間部は、ハンドホールまたはマンホールであり、前記排水ポンプの吐出管部に連通する排水管が前記ハンドホールまたは前記マンホールの蓋よりも下方から外部へ配設されることを特徴とする。
【００２０】
すなわち、ハンドホールやマンホールには一般的に蓋が設けられており、排水管を蓋よりも下方から外部へ配設することで通行上の問題とならないようにすることができる。
【００２１】
第６の発明は、前記フロート部材には、前記磁石が収容される磁石収容孔が上下方向に長く形成されるとともに下方に開放するように形成され、前記磁石収容孔には、前記磁石の下方に当該磁石を下方から支持するネジ部材がねじ込まれていることを特徴とする。
【００２２】
この構成によれば、ネジ部材の磁石収容孔へのねじ込み量を変えることで、ネジ部材の位置が上下方向に変化する。このネジ部材に磁石が支持されているので、ネジ部材の位置が上下方向に変化することで、磁石の位置も上下方向に変化することになる。つまり、ネジ部材のねじ込み量によって磁石の位置を上下方向に容易に調整可能になる。
【発明の効果】
【００２３】
第１の発明によれば、高さ調整可能な磁石を有するフロート部材と、フロート部材の高さが所定高さを超えたか否かを磁石の磁力によって検出するフロート位置検出部とを設け、フロート部材の高さが所定高さを超えた場合に排水ポンプを運転状態にするようにしたので、電力・通信ケーブルを地中化するための地下空間部に浸入した水を簡易なシステムで排水できる。
【００２４】
第２の発明によれば、排水ポンプと水位検出センサとを共通の筐体に収容するようにしたので、コンパクトにまとめることができ、地下空間部への設置作業性を良好にすることができる。
【００２５】
第３の発明によれば、太陽光パネルと蓄電池を備えているので、商用電源不要の全天候型排水システムを構築することができる。
【００２６】
第４の発明によれば、地下空間部への流水量（漏水量）を算出でき、インフラ構築後の漏水状況等を把握することができ、保守性が向上する。
【００２７】
第５の発明によれば、排水管を、ハンドホールやマンホールの蓋よりも下方から外部へ配設することで、通行上の問題にならないようにすることができる。
【００２８】
第６の発明によれば、ネジ部材のねじ込み量によって磁石の位置を上下方向に容易に調整することができる。
【図面の簡単な説明】
【００２９】
【図１】本発明の実施形態に係る排水システムの設置例を示す概略図である。
【図２】排水システムのブロック図である。
【図３】ポンプユニットの底面図である。
【図４】図３におけるIV−IV線断面図である。
【図５】フロート部材が上端位置にある状態のフロートスイッチの側面図である。
【図６】フロート部材が下端位置にある状態の図５相当図である。
【図７】フロート部材が上端位置にある状態のフロートスイッチの端面図である。
【図８】フロート部材が下端位置にある状態の図７相当図である。
【図９】フロートスイッチの底面図である。
【発明を実施するための形態】
【００３０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３１】
図１は本発明の実施形態に係る排水システム１の設置例を示す概略図であり、また、図２は排水システム１のブロック図である。排水システム１は、例えば電力ケーブル及び通信ケーブルの少なくとも一方が配設される地下空間部に溜まった水を排水するための装置であり、この実施形態では、地下空間部としてのマンホール１００に溜まった水を排水するのに使用される。地下空間部は、マンホール１００の他に、例えばマンホール１００よりも小さなハンドホール（図示せず）であってもよいし、マンホール１００やハンドホールに接続される管路１０２であってもよい。管路１０２には、符号Ｃで示すケーブルが配設されている。管路１０２に配設されるケーブルＣは、電力ケーブルであってもよいし、通信ケーブルであってもよいし、電力ケーブル及び通信ケーブルの両方であってもよい。マンホール１００の上部には蓋１０１が設けられている。
【００３２】
（排水システム１の全体構成）
排水システム１は、ポンプユニット１０と、制御ユニット（制御手段）２０と、太陽光パネル３０と、バッテリ（蓄電池）４０と、データロガー５０とを備えた商用電源不要の簡易型の排水システムである。ポンプユニット１０は、マンホール１００の内部に配設されて、マンホール１００の内部の水位を検出するとともに、その水位が所定水位以上になったらマンホール１００の内部の水を排水するユニットである。ポンプユニット１０は、制御ユニット２０によって制御される。制御ユニット２０、太陽光パネル３０、バッテリ４０及びデータロガー５０は、マンホール１００の外部（地上）に配設されている。
【００３３】
（太陽光パネル３０の構成）
太陽光パネル３０は、従来から周知の太陽光を受光して発電する太陽電池を多数備えている。太陽光パネル３０とバッテリ４０とが出力線３０ａによって接続されており、太陽光パネルから出力される電力はバッテリ４０に供給されて蓄えられるようになっている。
【００３４】
（バッテリ４０の構成）
バッテリ４０は、日中の太陽光パネル３０から出力される電力を蓄えることができ、かつ、後述する制御ユニット２０及びポンプユニット１０に必要な電力を供給することができるものであり、例えば鉛蓄電池等を使用することができる。バッテリ４０の容量は、満充電状態で制御ユニット２０及びポンプユニット１０を長時間に亘って稼働させることができるように設定されている。排水量が少ない場合には、制御ユニット２０及びポンプユニット１０を１週間程度作動させることができるようになっている。
【００３５】
太陽光パネル３０とバッテリ４０を組み合わせることで、全天候型の自動運転排水システムを構築することができる。
【００３６】
（ポンプユニット１０の構成）
図４に示すように、ポンプユニット１０は、筐体１１と、排水ポンプ１２と、フロートスイッチ１３とを備えている。排水ポンプ１２及びフロートスイッチ１３は筐体１１に収容されている。図３に示すように、筐体１１には、当該筐体１１の外部の水が内部へ流通可能な開口部１１ａが設けられている。開口部１１ａの形成箇所は複数箇所であってもよい。筐体１１をマンホール１００の壁面に固定することで、ポンプユニット１０の設置が可能である。
【００３７】
排水ポンプ１２は、マンホール１００の内部に溜まった水を排水するためのものであり、小電力モータを内蔵した省スペースな細径筒型ポンプで構成されている。排水ポンプ１２の排水能力は、設置条件によって多少異なるが、揚程３ｍ、１０〜３０ｍｌ／秒程度の能力とされている。つまり、汚水等が流入するマンホール用の排水ポンプに比べて大幅に低い能力であることから排水ポンプ１２を小型にすることができ、狭い場所であっても設置が容易になっている。
【００３８】
図３や図４に示すように、排水ポンプ１２は筐体１１の内部に配設されている。図４に示すように、排水ポンプ１２には、水を吸入する吸入管部１２ａが設けられるとともに、水を吐出する吐出管部１２ｂが設けられている。排水ポンプ１２が運転状態になると、筐体１１内の水が吸入管部１２ａから吸入されて吐出管部１２ｂから吐出される。
【００３９】
筐体１１の内部には、排水ポンプ１２の吐出管部１２ｂに接続される上流側ホース１０ｂと、ホース１０ｂの下流端部に接続されるＬ型ジョイント１０ｃと、Ｌ型ジョイント１０ｃの下流端部に接続される中間ホース１０ｅと、中間ホース１０ｅの下流端部に接続されるチェックバルブ１０ｄとが設けられている。また、チェックバルブ１０ｄの吐出側には、排水管１０ｆの上流端部が接続されている。従って、排水管１０ｆは、上流側ホース１０ｂ、Ｌ型ジョイント１０ｃ、中間ホース１０ｅ及びチェックバルブ１０ｄを介して排水ポンプ１２の吐出管部１２ｂに連通することになる。
【００４０】
図１に示すように、排水管１０ｆは、マンホール１００の蓋１０１よりも下方から外部へ配設される。マンホール１００の上部は、蓋１０１が嵌まる部分であり、金属製となっているが、この金属製の部分よりも下側はコンクリート製となっている。コンクリート製の部分は、金属製の部分に比べて貫通孔を開けるのが容易であるため、コンクリート製の部分に貫通孔を開けて排水管１０ｆを通すことができる。排水管１０ｆは、マンホール１００の蓋１０１から離れた所から地上に出すようにすればよい。これにより、通行上の問題にならないように、排水管１０ｆを配設することができる。尚、ハンドホールの場合も同様に排水管１０ｆを配設することができる。
【００４１】
図３や図４に示すように、フロートスイッチ１３は、本発明の水位検出センサに相当するものである。フロートスイッチ１３は、フロート部材１４と、リードスイッチ（フロート位置検出部）１５とを備えている。フロート部材１４は、水よりも低比重の部材、例えば中空部材、スポンジ状の部材からなり、マンホール１００の内部に溜まった水、即ち筐体１１の内部の水に浮くように配置されている。フロート部材１４の形状は、断面が円形であってもよいし、矩形であってもよく、特に限定されない。
【００４２】
フロート部材１４には、リードスイッチ１５のスイッチ部１５ｂが挿入されるスイッチ挿入孔１４ａが水平方向に貫通するように形成されている。スイッチ挿入孔１４ａの上下方向の寸法は、リードスイッチ１５のスイッチ部１５ｂの上下方向の寸法よりも長く設定されている。これにより、リードスイッチ１５のスイッチ部１５ｂがスイッチ挿入孔１４ａの内部に挿入された状態で、フロート部材１４に対して上下方向に相対移動可能となっている。図６及び図８に示す状態が、フロート部材１４がスイッチ部１５ｂに対して最も下まで移動した下降端位置にある状態である。図５及び図７に示す状態が、フロート部材１４がスイッチ部１５ｂに対して最も上まで移動した上昇端位置にある状態である。フロート部材１４は上昇端位置から下降端位置まで水位に応じて移動する。
【００４３】
図５及び図７に示すように、フロート部材１４には、磁石１７が収容される磁石収容孔１４ｂが上下方向に長く形成されるとともに下方に開放するように形成されている。磁石収容孔１４ｂは、スイッチ挿入孔１４ａの直下方に位置付けられている。磁石収容孔１４ｂの上端部は、磁石収容孔１４ｂの下面から所定寸法だけ下方に離れている。磁石収容孔１４ｂの上端部と、磁石１７との間には、コイルバネ１８が配設されている。コイルバネ１８は、上下方向に縮むことで磁石１７を下方へ向けて付勢する部材である。
【００４４】
磁石収容孔１４ｂには、磁石１７の下方に、当該磁石１７を下方から支持するネジ部材１６がねじ込まれている。すなわち、磁石収容孔１４ｂの内周面にはネジ溝が形成されており、このネジ溝にネジ部材１６が螺合するようになっている。ネジ部材１６を磁石収容孔１４ｂに深くねじ込むことで、ネジ部材１６が上に移動していくことなり、これにより、磁石１７がコイルバネ１８の付勢力に抗して上に移動する。一方、ネジ部材１６を磁石収容孔１４ｂから抜ける方向に回すことで、ネジ部材１６が下に移動していくことなり、これにより、磁石１７が下に移動する。このとき、磁石１７がコイルバネ１８によって下方へ付勢されているので、磁石１７の位置を磁石収容孔１４ｂ内で決めることができる。つまり、水位検出センサ１３は、フロート部材１４に対する磁石１７の位置を上下方向に調整可能に構成されている。
【００４５】
図５に示すように、リードスイッチ１５は、筐体１１に固定される本体部１５ａと、本体部１５ａから水平方向に突出する軸状のスイッチ部１５ｂと、スイッチ部１５ｂの先端部に固定された止め輪１５ｃと、信号線１５ｄとを備えている。スイッチ部１５ｂは、上述したようにフロート部材１４のスイッチ挿入孔１４ａに挿入されて上下方向に相対移動する部分である。止め輪１５ｃの外径は、フロート部材１４のスイッチ挿入孔１４ａの開口幅よりも広く設定されており、スイッチ部１５ｂの先端部に止め輪１５ｃが固定されることで、フロート部材１４がスイッチ挿入孔１４ａから抜けないようになっている。
【００４６】
スイッチ部１５ｂは、磁力の強弱によって開閉するように構成された周知のものであり、この実施形態ではスイッチ部１５ｂに作用する磁力が所定以上であれば閉になり、所定未満であれば開になるように構成されているが、その反対に、スイッチ部１５ｂに作用する磁力が所定以上であれば開になり、所定未満であれば閉になるように構成されていてもよい。
【００４７】
例えば、図６及び図８に示すように、フロート部材１４が下降端位置にあるときには、磁石１７とスイッチ部１５ｂとの距離が最も離れた状態になり、この状態では、スイッチ部１５ｂに作用する磁力が所定未満となり、スイッチ部１５ｂは開のままとなる。一方、図５及び図７に示すように、フロート部材１４が上昇端位置にあるときには、磁石１７とスイッチ部１５ｂとの距離が最も接近した状態になり、この状態では、スイッチ部１５ｂに作用する磁力が所定以上となり、スイッチ部１５ｂは閉になる。
【００４８】
すなわち、フロート部材１４は水に浮くように構成されているので、フロート部材１４の高さは水位を示しており、フロート部材１４の高さが所定高さを超えると、磁石１７の磁力によってスイッチ部１５ｂが開から閉になる。これにより、フロート部材１４の高さが所定高さを超えたか否かを検出することができ、その結果、マンホール１００の内部の水位を検出することができる。
【００４９】
フロートスイッチ１３の取付高さを変えることで、スイッチ部１５ｂが開から閉になる水位を変えることができる。また、フロート部材１４に対する磁石１７の位置を上下方向に調整することによっても、スイッチ部１５ｂが開から閉になる水位を変えることができる。
【００５０】
図６等に示す信号線１５ｄは、スイッチ部１５ｂと制御ユニット２０とを接続するための配線である。また、図１に示すように、ポンプユニット１０は、制御ユニット２０に接続される配線１０ａを備えており、この配線１０ａを介して制御ユニット２０からポンプユニット１０へ電力の供給が行われるようになっている。配線１０ａの一部に信号線１５ｄが含まれていてもよく、制御ユニット２０は、信号線１５ｄを介してスイッチ部１５ｂの開閉状態を検出することができるようになっている。配線１０ａ及び信号線１５ｄは、排水管１０ｆと同様に、マンホール１００の蓋１０１よりも下方から外部へ配線することができる。
【００５１】
（制御ユニット２０の構成）
図２に示すように、制御ユニット２０は制御部２１を備えている。制御部２１は、例えばマイクロコンピュータ等からなるものであり、リードスイッチ１５により検出されたフロート部材１４の高さが所定高さを超えた場合に排水ポンプ１２を非運転状態から運転状態とするように構成されており、所定のプログラムに従って以下に述べるように動作する。
【００５２】
制御ユニット２０は、まず、リードスイッチ１５が開となっているか、閉となっているかを検出する。制御ユニット２０は、リードスイッチ１５が開となっていることを検出すると、マンホール１００の内部の水位がそれほど高くない状態であると推定できるので、排水が不要であるとして、排水ポンプ１２を停止させたまま（非運転状態）にする。マンホール１００の内部の水位が上昇していくと、フロート部材１４の高さが高くなっていき、所定高さを超えると、リードスイッチ１５が閉になる。すると、制御ユニット２０は、リードスイッチ１５が閉になったことを検出して排水ポンプ１２に電力の供給を開始する。これにより、マンホール１００の内部の水が外部へ排水されるので、マンホール１００の内部の水位が低下していく。フロート部材１４の高さが所定高さ未満になると、リードスイッチ１５が閉から開に切り替わり、排水ポンプ１２への電力の供給が停止する。
【００５３】
このようにして排水作業を行うことができ、流水量（漏水量）が洪水等による大流量にならない限り、排水ポンプ１２の間欠運転の頻度対応で一定水位に維持することができる。
【００５４】
（データロガー５０の構成）
データロガー５０は、制御ユニット２０に接続されており、排水ポンプ１２の運転時間に関する情報を記憶する記憶部である。制御ユニット２０は、排水ポンプ１２への電力の供給を開始したら、その日時（開始日時）をデータロガー５０に送信する。データロガー５０は、制御ユニット２０から送信された開始日時を記録する。また、制御ユニット２０は、排水ポンプ１２への電力の供給を開始した後、停止したら、その日時（停止日時）をデータロガー５０に送信する。データロガー５０は、制御ユニット２０から送信された停止日時を記録する。これにより、データロガー５０に記憶されている情報に基づいて排水ポンプ１２の運転時間を得ることができる。
【００５５】
排水ポンプ１２の単位時間当たりの流量と、排水ポンプ１２の運転時間とに基づいて排水量を算出することができる。
【００５６】
（実施形態の作用効果）
以上説明したように、この実施形態に係る排水システム１によれば、マンホール１００の内部に溜まった水の水位が上昇すると、その水位の上昇に伴ってフロート部材１４が上昇するとともに磁石１７が上昇する。フロート部材１４の高さが所定高さを超えると、そのことが磁石１７の磁力によって検出されて排水ポンプ１２が運転状態になるので、マンホール１００の内部に溜まった水を排水することができる。これにより、ケーブルＣが水に浸かったままになるのを防止でき、水がケーブルＣ内に浸入しにくくなる。
【００５７】
また、磁石１７の位置を下から上方向に移動させると、水位が低くても排水ポンプ１２が運転を開始することになり、一方、磁石１７の位置を上から下方向に移動させると、水位が高くならないと排水ポンプ１２が運転を開始しなくなる。従って、例えば、マンホール１００の容積や、各ケーブルＣの高さに応じて磁石１７の高さを変更するという簡単な作業で、現場ごとに排水の開始タイミングを設定して自動で排水作業を行うことができる。
【００５８】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５９】
以上説明したように、本発明に係る排水システムは、例えばハンドホールやマンホール内の水を排水する場合に使用することができる。
【符号の説明】
【００６０】
１              排水システム
１０ｆ          排水管
１１            筐体
１１ａ          開口部
１２            排水ポンプ
１２ｂ          吐出管部
１３            フロートスイッチ（水位検出センサ）
１４            フロート部材
１４ｂ          磁石収容孔
１５            リードスイッチ（フロート位置検出部）
１６            ネジ部材
１７            磁石
２０            制御ユニット（制御手段）
３０            太陽光パネル
４０            バッテリ（蓄電池）
５０            データロガー（記憶部）
１００          マンホール（地下空間部）
１０１          蓋
Ｃ              ケーブル
【図１】
2020033874.tif 000003
【図２】
2020033874.tif 000004
【図３】
2020033874.tif 000005
【図４】
2020033874.tif 000006
【図５】
2020033874.tif 000007
【図６】
2020033874.tif 000008
【図７】
2020033874.tif 000009
【図８】
2020033874.tif 000010
【図９】
2020033874.tif 000011